(57)【要約】【課題】制御側機器の処理を一切変更することなく、被制御機器の制御結果などの各種表示を、制御側の表示機器に表示することが可能になるような中継装置及び中継方法を提供すること。【解決手段】無線ネットワークと有線ネットワークを中継する中継装置であって、有線ネットワークに接続された被制御機器２００が出力する複数種類（デジタル，アナログ）の信号入力のうち、いずれかの入力信号を切換部１０４にて選択し切り換えて無線ネットワークヘ中継する機能と、無線ネットワークに接続された制御側機器３００から送信された制御信号を、有線ネットワークに接続された被制御機器２００に中継する機能と、前記制御信号を中継するときに、前記切換部１０４を制御して特定の入力信号（アナログ）へ切り換える機能とを有し、制御信号が中継装置内に入ってきたときに、アナログへの入力切り換えが自動で行われ、制御側機器３００でＯＳＤ表示を行えるようになる。【選択図】    図１
2005020624.tif 000002
【特許請求の範囲】
【請求項１】
無線ネットワークと有線ネットワークを中継する中継装置において、
有線ネットワークに接続された被制御機器が出力する複数種類の入力信号のうち、いずれかの入力信号を選択する切換手段と、
前記切換手段にて選択された入力信号を無線ネットワークに接続された制御側機器ヘ中継する手段と、
無線ネットワークに接続された前記制御側機器から送信された制御信号を、有線ネットワークに接続された被制御機器に中継する手段と、
前記制御信号を中継するときに、前記制御信号を検出し、その検出結果に基づいて前記切換手段に前記複数種類の入力信号のうち特定の入力信号を選択するように指示する手段と、を具備することを特徴とする中継装置。
【請求項２】
無線ネットワークと有線ネットワークを中継する中継装置において、
有線ネットワークに接続された被制御機器が出力するデジタルとアナログの入力信号のうち、いずれかの入力信号を選択して出力する切換手段と、
前記切換手段の出力を無線ネットワークヘ送信する送信手段と、
無線ネットワークに接続された制御側機器から送信された制御信号を受信する受信手段と、
前記受信手段からの制御信号を、有線ネットワークに接続された被制御機器に伝達する手段と、
前記受信手段からの信号を判定し、制御信号であると判定した場合に、前記切換手段にアナログの入力信号を選択するように指示する手段と、を具備することを特徴とする中継装置。
【請求項３】
前記制御信号を中継する際に行った入力信号切り換えからの経過時間を計測する手段と、
前記経過時間がある一定の値を超えた場合に、入力信号切り換えを行う前に選択されていた入力信号に再切り換えを行うように前記切換手段に指示する手段と、を更に具備することを特徴とする請求項１又は２記載の中継装置。
【請求項４】
入力信号切り換えを行う前に選択されていた入力信号に再切り換えを行うまでの時間を、ユーザが任意に設定する手段を更に具備することを特徴とする請求項３記載の中継装置。
【請求項５】
入力信号切り換えを行う前に選択されていた入力信号に再切り換えを行うまでの時間を、前記有線ネットワークに接続された被制御機器に対する制御信号の内容に応じて変化させる手段を更に具備することを特徴とする請求項３記載の中継装置。
【請求項６】
無線ネットワークと有線ネットワークを中継する中継装置において、
有線ネットワークに接続された被制御機器が出力する複数種類の入力信号のうち、いずれかの入力信号を選択する切換手段と、
前記切換手段にて選択された入力信号を無線ネットワークに接続された制御側機器ヘ中継する手段と、
無線ネットワークに接続された前記制御側機器から送信された制御信号を、有線ネットワークに接続された被制御機器に中継する手段と、
前記制御信号を中継するときに、前記制御信号を検出し、その検出結果に基づいて前記切換手段に前記複数種類の入力信号のうち特定の入力信号を選択するように指示する手段と、
前記無線ネットワークに接続された制御側機器から送信された制御信号を、有線ネットワークに接続された被制御機器に伝達する手段と、
前記制御信号の制御内容が、自らが持つデジタルインタフェース上の制御プロトコルで規定された制御コマンドの中に同じ内容のものがあるかどうかを判定する判定手段と、
前記判定手段による判定の結果で同じ内容のコマンドが存在した場合に、制御信号をそのまま被制御機器に中継することなく、前記デジタルインタフェース上の同等の制御コマンドに変換して発行する手段と、を具備することを特徴とする中継装置。
【請求項７】
前記制御信号と同じ内容の制御コマンドが存在する場合に、前記制御信号をデジタルインタフェース上の同等の制御コマンドに変換して発行したとき、該制御コマンドに基づいて制御された被制御機器の制御結果を制御側機器にレスポンスとして発行する手段を更に具備することを特徴とする請求項６記載の中継装置。
【請求項８】
無線ネットワークと有線ネットワークを中継する中継方法であって、
有線ネットワークに接続された被制御機器が出力する複数種類の入力信号のうち、いずれかの入力信号を選択する切換ステップと、
前記切換ステップにて選択された入力信号を無線ネットワークに接続された制御側機器ヘ中継するステップと、
無線ネットワークに接続された前記制御側機器から送信された制御信号を、有線ネットワークに接続された被制御機器に中継するステップと、
前記制御信号を中継するときに、前記制御信号を検出し、その検出結果に基づいて前記切換手段に前記複数種類の入力信号のうち特定の入力信号を選択するように指示するステップと、を有することを特徴とする中継方法。
【請求項９】
無線ネットワークと有線ネットワークを中継する中継方法であって、
有線ネットワークに接続された被制御機器が出力する複数種類の入力信号のうち、いずれかの入力信号を選択する切換ステップと、
前記切換ステップにて選択された入力信号を無線ネットワークに接続された制御側機器ヘ中継するステップと、
無線ネットワークに接続された前記制御側機器から送信された制御信号を、有線ネットワークに接続された被制御機器に中継する手段と、
前記制御信号を中継するときに、前記制御信号を検出し、その検出結果に基づいて前記切換手段に前記複数種類の入力信号のうち特定の入力信号を選択するように指示するステップと、
前記無線ネットワークに接続された制御側機器から送信された制御信号を、有線ネットワークに接続された被制御機器に伝達するステップと、
前記制御信号の制御内容が、自らが持つデジタルインタフェース上の制御プロトコルで規定された制御コマンドの中に同じ内容のものがあるかどうかを判定する判定ステップと、
前記判定ステップによる判定の結果で同じ内容のコマンドが存在した場合に、制御信号をそのまま被制御機器に中継することなく、前記デジタルインタフェース上の同等の制御コマンドに変換して発行するステップと、を有することを特徴とする中継方法。
【発明の詳細な説明】
【０００１】
【発明の属する技術分野】
この発明は、デジタルインタフェースおよびアナログインタフェースによって結合されたＡＶ機器等で構成されるネットワークの制御技術に係り、特に異なるネットワーク間で中継の際に、一方のネットワークに接続した制御側機器からの制御データに基づいて他方のネットワークに接続した複数種類（例えばアナログ，デジタル）の信号を出力する同一の被制御機器を制御する場合に、被制御機器の制御結果（状態変化）が確実に制御側機器に伝えられるようにした中継装置及び中継方法に関する。
【０００２】
【従来の技術】
同一機器が出力している複数の信号入力のうちどの信号が有効であるかを自動的に判別し、有効な信号を出力する方法として、特開２００２−４４５３２号公報に記載された「信号出力装置および信号出力方法」がある。この従来技術における信号出力装置は、複数種類の信号（デジタル／アナログ）を出力する同一機器からの複数信号入力を持ち、その複数入力の中から特定の入力を選択しデータ出力する。上記の信号出力装置は、複数種類の信号を出力する機器に対し、どの出力信号が現時点で有効であるかを周期的に問い合わせることで、有効と判定された入力を選択して切り換え、データ出力する制御を行っている。
【０００３】
無線ネットワークと有線ネットワークを中継する中継装置を用いることで、有線ネットワークに接続されたデジタルビデオレコーダ（ＤＶＨＳ等）のような被制御機器が出力する映像・音声を、無線ネットワークに接続されたＴＶ受信機等の制御側機器で視聴することができ、また、無線ネットワークに接続された機器から、有線ネットワークに接続された被制御機器用のリモコンを使用し、そのリモコンコードを送信することで、リモコンコードは無線経由で中継され、離れた位置にある被制御機器のリモコン制御が可能となる。被制御機器では、中継されたリモコンコードを解釈し、指定された動作を行う。
【０００４】
【特許文献１】
特開２００２−４４５３２号公報（第１−７頁、図１−図４）
【０００５】
【発明が解決しようとする課題】
ところで、一般的に、高品位のデジタル映像出力と、従来のアナログ映像出力の両方を持つ機器の場合、オンスクリーン表示信号として作成される動作結果を表す各種表示や設定メニューなどは、アナログ出力の映像にはオーバーレイ（重畳）されて同時表示されるが、デジタル出力は通常放送信号がそのまま出力されるだけであるため、映像のみで、オンスクリーン表示信号として機器がアナログ用に作成する各種表示や設定メニューなどはオーバーレイされない。これは、デジタル出力の映像に各種動作表示やメニュー表示をオーバーレイさせる機能は技術的・コスト的に不利なため現時点では製品として開発及び実用化されていないためである。
【０００６】
このため、中継装置が常に高品位のデジタル映像のみを中継していると、別の部屋で、中継されたデジタル映像を視聴しながら、リモコン制御を行っても、動作結果の表示や設定メニューが表示されず、制御結果がわかりにくいという問題がある。
【０００７】
上記の従来技術においても、例えばＤＶＨＳなどの録画再生装置の再生映像を中継装置経由で視聴する場合、ＤＶＨＳがデジタル記録番組を再生していれば、有効な信号としてデジタル出力を指定するため、有効な入力信号としてデジタル信号が選択されてしまい、この状態で再生・停止制御を行ったり、テープナビゲーション表示指示などを行っても、映像にはオーバーレイされず、ユーザには制御結果が分かりにくい、ナビゲーション表示がされない等の問題があった。
【０００８】
そこで、本発明は上記の問題を解決するためになされたものであり、制御側機器の処理を一切変更することなく、被制御機器の制御結果などの各種表示を、制御側の表示機器に表示することが可能になるような中継装置及び中継方法を提供することを目的とする。
【０００９】
【課題を解決するための手段】
本発明による中継装置は、無線ネットワークと有線ネットワークを中継する中継装置において、
有線ネットワークに接続された被制御機器が出力する複数種類の入力信号のうち、いずれかの入力信号を選択する切換手段と、前記切換手段にて選択された入力信号を無線ネットワークに接続された制御側機器ヘ中継する手段と、無線ネットワークに接続された前記制御側機器から送信された制御信号を、有線ネットワークに接続された被制御機器に中継する手段と、前記制御信号を中継するときに、前記制御信号を検出し、その検出結果に基づいて前記切換手段に前記複数種類の入力信号のうち特定の入力信号を選択するように指示する手段と、を具備することを特徴とする。
【００１０】
本発明による中継装置は、無線ネットワークと有線ネットワークを中継する中継装置において、有線ネットワークに接続された被制御機器が出力するデジタルとアナログの入力信号のうち、いずれかの入力信号を選択して出力する切換手段と、前記切換手段の出力を無線ネットワークヘ送信する送信手段と、無線ネットワークに接続された制御側機器から送信された制御信号を受信する受信手段と、前記受信手段からの制御信号を、有線ネットワークに接続された被制御機器に伝達する手段と、前記受信手段からの信号を判定し、制御信号であると判定した場合に、前記切換手段にアナログの入力信号を選択するように指示する手段と、を具備することを特徴とする。
【００１１】
この発明によれば、リモコンの制御コードなどを中継するタイミングで、被制御機器が出力する複数種類（例えばデジタル，アナログ）の入力信号の中から、いずれかの入力信号（アナログ）への入力切り換えが自動で行われるようにすることが可能となる。これによって、制御信号が中継装置内に入ってきたときに、アナログへの入力切り換えが自動で行われ、制御側機器でオンスクリーン表示（ＯＳＤ）を行えるようになる。
【００１２】
本発明において、前記制御信号を中継する際に行った入力信号切り換えからの経過時間を計測する手段と、前記経過時間がある一定の値を超えた場合に、入力信号切り換えを行う前に選択されていた入力信号に再切り換えを行うように前記切換手段に指示する手段とを更に具備することが望ましい。
【００１３】
この発明によれば、上記の各手段を新たに付加することで、制御信号を中継後、一定時間だけ別の入力信号（アナログ）を中継し、制御側機器にＯＳＤ表示させ、その後に元の入力信号（デジタル）に自動で戻すことが可能となる。
【００１４】
本発明において、入力信号切り換えを行う前に選択されていた入力信号に再切り換えを行うまでの時間を、ユーザが任意に設定する手段を更に具備することが望ましい。
【００１５】
この発明によれば、上記の手段を新たに付加することで、制御信号を中継後に、別の入力信号を中継し元の入力信号に戻るまでの時間を、ユーザが自分の好みで設定することが可能となる。
【００１６】
本発明において、入力信号切り換えを行う前に選択されていた入力信号に再切り換えを行うまでの時間を、前記有線ネットワークに接続された被制御機器に対する制御信号の内容に応じて変化させる手段を更に具備することが望ましい。
【００１７】
この発明によれば、上記の手段を新たに付加することで、制御信号を中継後に、別の入力信号を中継し元の入力信号に戻るまでの時間を、制御信号の内容（例えば再生，録画，カーソルの上下，決定などの各動作）に応じて、最適に制御することが可能となる。
【００１８】
本発明による中継装置は、無線ネットワークと有線ネットワークを中継する中継装置において、有線ネットワークに接続された被制御機器が出力する複数種類の入力信号のうち、いずれかの入力信号を選択する切換手段と、前記切換手段にて選択された入力信号を無線ネットワークに接続された制御側機器ヘ中継する手段と、無線ネットワークに接続された前記制御側機器から送信された制御信号を、有線ネットワークに接続された被制御機器に中継する手段と、前記制御信号を中継するときに、前記制御信号を検出し、その検出結果に基づいて前記切換手段に前記複数種類の入力信号のうち特定の入力信号を選択するように指示する手段と、前記無線ネットワークに接続された制御側機器から送信された制御信号を、有線ネットワークに接続された被制御機器に伝達する手段と、前記制御信号の制御内容が、自らが持つデジタルインタフェース上の制御プロトコルで規定された制御コマンドの中に同じ内容のものがあるかどうかを判定する判定手段と、前記判定手段による判定の結果で同じ内容のコマンドが存在した場合に、制御信号をそのまま被制御機器に中継することなく、前記デジタルインタフェース上の同等の制御コマンドに変換して発行する手段と、を具備することを特徴とする。
【００１９】
この発明によれば、制御内容が同じであれば、より確実度の高いデジタルインタフェース上の制御コマンドを利用して制御を行うことが可能となる。アナログの制御信号による赤外光による制御では、赤外線が確実に発光部から受光部に到達し得ない場合（障害物がある場合など）があるが、有線経路を使うデジタルインタフェースではその欠点を生じないためである。また、デジタルインタフェース上の制御プロトコルで規定された他の有用な機能を利用できる利点を有するものである。
【００２０】
本発明において、前記制御信号と同じ内容の制御コマンドが存在する場合に、前記制御信号をデジタルインタフェース上の同等の制御コマンドに変換して発行したとき、該制御コマンドに基づいて制御された被制御機器の制御結果を制御側機器にレスポンスとして発行する手段を更に具備することが望ましい。
【００２１】
この発明によれば、一般的に、リモコンコードなどの制御コードをそのまま利用して制御を行った場合、制御結果が成功かどうかを判別するのは困難である。それに対し、デジタルインタフェース上で規定された制御プロトコルでは、制御を行うコマンド（例えばＩＥＥＥ１３９４におけるＡＶ／Ｃコマンドなど）と、その制御結果を制御元に示すレスポンスが規定されているため、失敗した場合は制御側機器からコマンドを再送するなど、確実な制御が行える。
【００２２】
本発明による中継方法は、無線ネットワークと有線ネットワークを中継する中継方法であって、有線ネットワークに接続された被制御機器が出力する複数種類の入力信号のうち、いずれかの入力信号を選択する切換ステップと、前記切換ステップにて選択された入力信号を無線ネットワークに接続された制御側機器ヘ中継するステップと、無線ネットワークに接続された前記制御側機器から送信された制御信号を、有線ネットワークに接続された被制御機器に中継するステップと、前記制御信号を中継するときに、前記制御信号を検出し、その検出結果に基づいて前記切換手段に前記複数種類の入力信号のうち特定の入力信号を選択するように指示するステップと、を有することを特徴とする。
【００２３】
本発明による中継方法は、無線ネットワークと有線ネットワークを中継する中継方法であって、有線ネットワークに接続された被制御機器が出力する複数種類の入力信号のうち、いずれかの入力信号を選択する切換ステップと、前記切換ステップにて選択された入力信号を無線ネットワークに接続された制御側機器ヘ中継するステップと、無線ネットワークに接続された前記制御側機器から送信された制御信号を、有線ネットワークに接続された被制御機器に中継する手段と、前記制御信号を中継するときに、前記制御信号を検出し、その検出結果に基づいて前記切換手段に前記複数種類の入力信号のうち特定の入力信号を選択するように指示するステップと、前記無線ネットワークに接続された制御側機器から送信された制御信号を、有線ネットワークに接続された被制御機器に伝達するステップと、前記制御信号の制御内容が、自らが持つデジタルインタフェース上の制御プロトコルで規定された制御コマンドの中に同じ内容のものがあるかどうかを判定する判定ステップと、前記判定ステップによる判定の結果で同じ内容のコマンドが存在した場合に、制御信号をそのまま被制御機器に中継することなく、前記デジタルインタフェース上の同等の制御コマンドに変換して発行するステップと、を有することを特徴とする。
【００２４】
【発明の実施の形態】
以下、発明の実施の形態について図面を参照しながら説明する。
［第１の実施の形態］
図１は本発明の第１の実施の形態の中継装置のブロック図を示している。図２は本発明に係るネットワーク構成を説明するための図である。
【００２５】
図２に示すように、本発明に係るネットワーク構成は、無線ネットワークと有線ネットワーク間を中継装置１００で中継する構成となっている。
【００２６】
具体的には、デジタルビデオレコーダ（ＤＶＨＳ）等の被制御機器２００が中継装置１００と有線のネットワークで接続され、ＴＶ受信機等の制御側機器３００が中継装置１００と無線のネットワークで接続されている。被制御機器２００，制御側機器３００とも、オーディオ・ビデオ機器（ＡＶ機器）が使用される。被制御機器２００としては、例えばデジタルビデオレコーダ（ＤＶＨＳ），ＤＶＤプレイヤー等のリモコン制御が可能でかつ複数種類（例えばデジタル，アナログ）の信号を出力可能な映像記録再生機器が使用され、制御側機器３００としては、例えばＴＶ受信機等の映像再生表示機器が使用される。以下の説明では、被制御機器２００はデジタルビデオレコーダ（ＤＶＨＳ）、制御側機器３００はＴＶ受信機として説明する。
【００２７】
被制御機器（ＤＶＨＳ）２００は、デジタルインタフェースであるＩＥＥＥ１３９４インタフェース（ＩＥＥＥ１３９４Ｉ／Ｆ）（図示せず）のほかに、アナログ映像／音声出力端子（図示せず）を有しており、少なくとも再生時には、デジタル出力（ＩＥＥＥ１３９４出力）及びアナログ映像／音声出力を同時に出力する機能を有している。また、被制御機器（ＤＶＨＳ）２００は、アナログ映像信号出力に対して各種の動作表示等を重畳できるようにオンスクリーン表示（ＯＳＤ）信号を作成するＯＳＤ機能を有している。
【００２８】
中継装置１００は、アナログケーブル２０１およびデジタルインタフェースであるＩＥＥＥ１３９４のケーブル２０２によって、被制御機器２００と接続されており有線ネットワークを構成している。
【００２９】
同様に、制御側機器３００は中継装置１００と無線でネットワーク接続されており、無線経由で中継装置１００とデータの送受信を行うことが可能な構成となっている。
【００３０】
中継装置１００と被制御機器２００とは、アナログケーブル２０１，ＩＥＥＥ１３９４のケーブル２０２で互いに接続されているほかに、中継装置１００には、機器制御信号を被制御機器２００の赤外線受光部に効率よく赤外線伝送するために、機器制御信号を赤外線信号に変換するＩＲブラスタ１１０を被制御機器２００の赤外線受光部の近くに配置しその信号コードを中継装置１００の制御信号出力端子に接続した構成となっている。なお、ＩＲブラスタ１１０を用いず、中継装置１００に赤外線発光部を設けて、該赤外線発光部より被制御機器２００の赤外線受光部に直接赤外線伝送するように構成してもよい。
【００３１】
ＴＶ受信機等の制御側機器３００は、被制御機器２００からの無線ネットワークを通した映像信号を受信しＴＶ画面に表示する。一方、制御側機器３００より被制御機器２００を制御する場合においては、制御側機器３００に被制御機器２００用のリモコン（被制御機器２００に付属しているリモコン）２０３を向けて赤外線信号によるリモコンコードを送信し、その赤外線信号を制御側機器３００がデジタルデータに変換して無線ネットワークを経由し中継装置１００に送信する。中継装置１００では、無線ネットワークからの機器制御信号を受信しＩＲブラスタ１１０等にて赤外線信号に変換して被制御機器２００に送信することにより、機器制御を実現している。
【００３２】
図１に本発明の中継装置の構成例を示す。
図１において、中継装置１００は、各一端が被制御機器２００に接続したアナログビデオケーブル及びアナログ音声ケーブルの各他端が接続するアナログ映像入力端子１０１及びアナログ音声入力端子１０２と、一端が被制御機器２００に接続したＩＥＥＥ１３９４シリアルバスケーブルの他端が接続するＩＥＥＥ１３９４インタフェース（ＩＥＥＥ１３９４Ｉ／Ｆ）１０３と、一方の入力端ａにアナログ映像／音声信号が入力し、他方の入力端ｂにＩＥＥＥ１３９４信号が入力し、切り換え指示に基づいてどちらか一方の信号を選択して切り換える切換手段としての入力信号切換部１０４と、入力信号切換部１０４の信号切換え前に選択されていた入力信号の情報、例えば入力信号の種類（デジタル，アナログ）を記憶する入力信号記憶部１０５と、入力信号切換部１０４で選択された入力信号を無線ネットワークに送信する送信手段としての無線データ送信部１０６と、無線ネットワークに接続した制御側機器３００からの無線伝送による制御信号を受信する受信手段としての無線データ受信部１０７と、無線データ受信部１０７で受信されたデータが制御信号か否かを判定し、制御信号であると入力切換え指示及び時間計測指示をする受信データ判定部１０８と、受信データ判定部１０８で判定された制御信号を導き、ＩＲブラスタ１１０を用いて被制御機器２００へ制御信号を転送する制御手段１０９と、入力信号切換え後の経過時間を計測し、一定時間経過後に入力信号の再切換え指示をする経過時間計測部１１１と、経過時間の一定値をユーザが入力装置を用いて任意に設定できる指示入力手段１１２と、を有して構成されている。
【００３３】
以下、図１及び図２を参照しながら、１）〜８）の処理ステップごとに説明を行う。
【００３４】
１）
被制御機器（ＤＶＨＳ）２００の映像・音声出力は、アナログ信号としてアナログケーブル２０１で中継装置１００に入力されている。また、同時にＩＥＥＥ１３９４ケーブル２０２でもデジタル信号として中継装置１００に入力されている。
【００３５】
制御側機器（ＴＶ）３００で被制御機器（ＤＶＨＳ）２００の映像を視聴するために、中継装置１００は被制御機器（ＤＶＨＳ）２００の出力信号（デジタル，アナログ）のうち、通常は高品位のデジタル入力であるＩＥＥＥ１３９４入力を選択し、入力信号切換部１０４は、ＩＥＥＥ１３９４入力側からの信号を選択している。この入力信号は、無線データ送信部１０６経由で制御側機器（ＴＶ）３００に配信され、制御側機器（ＴＶ）３００側では無線経由で、高品位のデジタル映像を視聴することができる。
【００３６】
２）
この状態で、制御側機器（ＴＶ）３００の前のユーザが、被制御機器（ＤＶＨＳ）２００の再生を停止するために、被制御機器（ＤＶＨＳ）２００用のリモコン２０３を使用して停止制御を行う場合を考える。停止ボタンを押すことによって発生したリモコンコードは無線経由で、中継装置１００の無線データ受信部１０７で受信される。受信されたデータは受信データ判定部１０８で、制御信号かどうか判定される。制御信号でない場合は特別何も行わない。
【００３７】
３）
２）の処理で、受信データが制御信号であると判定した場合、受信データ判定部１０８は、入力信号切換部１０４に対し、アナログ入力信号への切り換え指示を行う。
【００３８】
４）
入力信号切換部１０４は、現在の入力信号がデジタル入力（ＩＥＥＥ１３９４入力）であることを、入力信号記憶部１０５に記憶する。その後、受信データ判定部１０８からの指示通り、アナログ入力信号への切り換え処理を行う。これにより、無線データ送信部１０６経由で、被制御機器（ＤＶＨＳ）２００のアナログ出力信号が制御側機器（ＴＶ）３００に配信されるようになる。
【００３９】
５）
受信データ判定部１０８は、３）で入力信号切換部１０４の切り換え指示を行うと同時に、経過時間計測部１１１に対し、入力信号切り換え後の経過時間を計測する指示を行う。この指示により、経過時間計測部１１１は時間の計測を開始する。
【００４０】
６）
経過時間計測部１１１は、ある一定時間（例えば３０秒）を経過したかどうかを計測し、３０秒経過後、入力信号切換部１０４に対し、現在の入力信号に切り換えを行う前に選択されていた入力信号に再切り換えを行わせる指示を行う。また、この計測する一定時間の値は、ユーザが入力装置を用いて、指示入力手段１１２経由で任意の値に設定することが可能である。６０秒に設定された場合は、再切り換えは６０秒後に行われるし、０秒に設定された場合は、制御信号を受信したことによる自動入力切り換えを行わないなどの対応にすることが可能である。
【００４１】
７）
６）で経過時間計測部１１１より、以前の入力信号への再切り換え指示を受けると、入力信号切換部１０４は、入力信号記憶部１０５で記憶していた以前の入力信号に関する情報（デジタル，アナログの種別）を取得する。この実施の形態では、４）の処理で切り換え前は、デジタル入力（ＩＥＥＥ１３９４入力）であったと記憶されているため、入力信号切換部１０４は、入力をデジタル入力に戻す。ここまでの処理で、制御信号を受信したことによるアナログ入力への入力切り換え後、３０秒後に元のデジタル入力に自動的に戻る処理が実現可能である。
【００４２】
８）
２）の処理で、受信データ判定部１０８によって、制御信号を受信したと判定された場合、制御信号は制御手段１０９に伝えられる。制御手段１０９は伝えられた制御信号（リモコンコード）を使用して、ＩＲブラスタ１１０などを用いて、被制御機器（ＤＶＨＳ）２００にリモコンコードを転送する。  被制御機器（ＤＶＨＳ）２００はＩＲブラスタ１１０などから停止を示すリモコンコードを受信し、停止状態へ遷移する。被制御機器（ＤＶＨＳ）２００は、自身の動作状態に変化があったことをユーザに通知するために、一定時間ＴＶ画面上に「停止」表示を行う。この表示データは、被制御機器（ＤＶＨＳ）２００自身がＯＳＤ機能によりアナログ信号用に作成したものであるため、被制御機器（ＤＶＨＳ）２００のアナログ出力にはオーバーレイ（重畳）されるが、デジタル出力にはオーバーレイされない。よって、デジタル入力に常時切り換えている場合は、制御側機器（ＴＶ）３００の前のユーザはこの「停止」表示を見ることができず、リモコン２０３による制御が成功したかどうかが分かりにくいが、４）の処理で自動的にアナログ入力へ切り換えが行われているため、被制御機器（ＤＶＨＳ）２００自身が作成した「停止」表示をリモコン２０３操作後にアナログ信号入力で必ず見ることが可能となる。
【００４３】
また、ナビゲーション画面表示キーやメニュー画面表示キーをリモコン２０３で入力した後、画面上でカーソルを移動させる場合など、連続してリモコン入力が行われているときは、デジタル入力に戻るまでの時間計測を、最後のリモコン入力が行われた時点から計測し直すことになるので、必要な時間だけアナログ出力を継続することが可能である。従って、リモコン操作中にもかかわらず、デジタル入力に戻ってしまうことはなく、リモコン入力が無くなってから３０秒後にデジタル入力に戻ることとなる。
【００４４】
以上の第１の実施の形態の処理により、制御側機器（ＴＶ）３００の処理を一切変更・追加することなく、被制御機器（ＤＶＨＳ）２００の制御結果などの各種表示を、制御側の表示機器（ＴＶ）に表示することが可能になる。
【００４５】
［第２の実施の形態］
本発明の第２の実施の形態においても、図２と同様にネットワーク構成は有線ネットワークと無線ネットワーク間に中継装置を有した構成となっている。但し、本実施の形態では、有線ネットワークと無線ネットワーク間には、図１に示した構成の中継装置１００に代えて、図３に示す中継装置１００Ａが接続される。
【００４６】
図３は第２の実施の形態の中継装置のブロック図を示しており、図１と同一部分には同一符号を付して説明する。
【００４７】
図３に示す中継装置１００Ａで、図１の中継装置１００と異なる点は、受信データ判定部１０８と制御手段１０９間に、制御内容判定部１１３及び再切り換え時間記憶部１１４を設け、制御内容判定部１１３は、送信されてきた制御信号（リモコンコード）の内容と再切り換え時間記憶部１１４に記憶している制御信号別の再切り換え時間情報を参照して、制御信号の内容（例えば再生，決定，カーソル上下移動方向などの制御を指示するリモコンコード）に応じた再切り換えまでの時間（以下、単に、再切り換え時間という）を取得し、取得した再切り換え時間だけ計測するよう、経過時間計測部１１１に計測時間を指示する。この指示により、経過時間計測部１１１は前記の再切り換え時間だけ計測を行った後、現在の入力信号に切り換えを行う前に選択されていた入力信号に再切り換えを行わせる指示を出す。その他の構成は図１と同様である。
【００４８】
以下、図３及び図２を参照しながら、１）〜７）の処理ステップごとに説明を行う。
【００４９】
１）
被制御機器（ＤＶＨＳ）２００の映像・音声出力は、アナログ信号としてアナログケーブル２０１で中継装置１００Ａに入力されている。また、同時にＩＥＥＥ１３９４ケーブル２０２でもデジタル信号として中継装置１００Ａに入力されている。
【００５０】
制御側機器（ＴＶ）３００で被制御機器（ＤＶＨＳ）２００の映像を視聴するために、中継装置１００Ａは被制御機器（ＤＶＨＳ）２００の出力信号（アナログ，デジタル）のうち、通常は高品位のデジタル入力であるＩＥＥＥ１３９４入力を選択している。すなわち、入力信号切換部１０４は、ＩＥＥＥ１３９４Ｉ／Ｆ１０３からの信号を選択している。この入力信号は、無線データ送信部１０６経由で制御側機器（ＴＶ）３００に配信され、制御側機器（ＴＶ）３００側では無線経由で、高品位のデジタル映像を視聴することができる。
【００５１】
２）
この状態で、制御側機器（ＴＶ）３００の前のユーザが、被制御機器（ＤＶＨＳ）２００に挿入されたテープの記録番組の中から、好きな番組を選んで再生する場合を考える。ユーザは、再生可能な番組（コンテンツ）の一覧を表示させるために、被制御機器（ＤＶＨＳ）２００用のリモコン２０３を使用して例えばナビゲーション画面表示制御を行う。リモコン２０３のナビゲーション画面表示キーを押すことによって発生したリモコンコードは、中継装置１００Ａによって、被制御機器（ＤＶＨＳ）２００に中継され、被制御機器（ＤＶＨＳ）２００はナビゲーション表示を行う。このナビゲーション画面は、被制御機器（ＤＶＨＳ）２００自身が作成したものであるため、被制御機器（ＤＶＨＳ）２００のアナログ出力にはオーバーレイされるが、デジタル出力にはオーバーレイされない。しかし、前記の実施形態と同様の処理によって、リモコン制御信号が受信データ判定部１０８にて判定されると、入力信号切換部１０４によるアナログ入力信号への切り換え処理が行われるため、ユーザは、リモコン２０３のナビゲーション画面表示キーを押すことによって、ナビゲーション画面を制御側機器（ＴＶ）３００画面上で見ることが可能となる。
【００５２】
なお、ナビゲーション画面表示とは、ビデオテープレコーダなどの情報記録再生装置にあっては、番組記録時に、記録した番組内容を管理する記録管理情報（チャンネル、開始時間、終了時間など）と、番組を記録した記録媒体（ビデオテープ等）の識別情報を、記録装置自身が持つ不揮発性メモリなどの記録媒体に記憶させておき、記録媒体（テープ等）が挿入されたときに、記録媒体（テープ等）の識別機能によって挿入された記録媒体を識別し、挿入された記録媒体に対応する記録番組付属情報を自身の記録媒体に記録した情報の中から検索し表示することで、ユーザーが再生する際にナビゲーションを行う機能を持つものである。また、記録した番組の付属情報を書き込んだ非接触メモリを含むラベルを、番組を記録した記録媒体を貼り付けることで、同様のナビゲーションを行うものも存在する。
図４にナビゲーション画面の表示例を示す。
【００５３】
３）
このナビゲーション画面表示の時点で、ユーザは再生したいコンテンツを選択して決定するという動作に移るが、この動作は、リモコン２０３操作による、カーソル上／カーソル下／決定などのリモコンコードをナビゲーション画面表示用コードと同様にして被制御機器（ＤＶＨＳ）２００に中継することで実現される。発生したリモコンコードは無線経由で、中継装置１００Ａの無線データ受信部１０７で受信される。受信データ判定部１０８は、受信データが制御信号であると判定した場合、入力信号切換部１０４に対し、アナログ入力信号への切り換え指示を行うと同時に、制御内容判定部１１３に対し、制御内容判定指示を行う。
【００５４】
４）
入力信号切換部１０４は、現在の入力信号がデジタル入力（ＩＥＥＥ１３９４入力）であることを、入力信号記憶部１０５に記憶する。その後、受信データ判定部１０８からの入力信号切り換えの指示通り、アナログ入力信号への切り換え処理を行う。これにより無線データ送信部１０６経由で、被制御機器（ＤＶＨＳ）２００のアナログ出力信号が制御側機器（ＴＶ）３００に配信されるようになる。
【００５５】
５）
３）で受信データ判定部１０８より、制御内容判定指示を受けると、制御内容判定部１１３は、送信されてきた制御信号（リモコンコード）の内容と、再切り換え時間記憶部１１４で記憶されている、制御信号別再切り換え時間情報を参照して、制御信号の内容に応じた再切り換えまでの時間を取得する。図５に再切り換え時間記憶部１１４で記憶されている制御信号別再切り換え時間情報の例を示している。さらに、制御内容判定部１１３は、取得した再切り換え時間を計測するよう、経過時間計測部１１１に計測を指示する。この指示により、経過時間計測部１１１は時間の計測を開始する。
【００５６】
例えば、リモコン操作によって送信されてきた制御信号が、「カーソル下」であれば、図５の情報より、再切り換え時間は、「３０秒」であると判定され、経過時間計測部１１１に３０秒計測するよう指示が行われる。
【００５７】
６）
経過時間計測部１１１は、制御内容判定部１１３にて指示された時間（ここでは、３０秒）を経過したかどうかを計測し、３０秒経過後、入力信号切換部１０４に対し、現在の入力信号に切り換えを行う前に選択されていた入力信号に再切り換えを行わせる指示を行う。ここで、計測する時間は、再切り換え時間記憶部１１４が持つ、制御信号別再切り換え時間情報によって決定されるが、この値は、「カーソル下」など、ユーザのリモコン操作が引き続き行われる可能性が高い場合は長めに設定され、「決定」など、ユーザのリモコン操作が引き続き行われる可能性が低い場合は短めに設定されているため、制御内容に応じて、再切り換えまでの時間を最適に制御することが可能となる。
【００５８】
７）
６）で経過時間計測部１１１より、以前の入力信号への再切り換え指示を受けると、入力信号切換部１０４は、入力信号記憶部１０５で記憶していた以前の入力信号に関する情報を取得する。この実施の形態では、４）の処理で切り換え前は、デジタル入力（ＩＥＥＥ１３９４入力）であったと記憶されているため、入力信号切換部１０４は、入力をデジタル入力に戻す。ここまでの処理で、制御信号を受信したことによるアナログ入力への入力切り換え後、３０秒後に元のデジタル入力に自動的に戻る処理が実現可能である。
【００５９】
以上の第２の実施の形態の処理により、制御側機器（ＴＶ）の処理を一切変更・追加することなく、制御側機器から送られたリモコンコードの内容に応じて、被制御機器（ＤＶＨＳ）が生成する各種画面表示を、制御側の表示機器（ＴＶ）に表示する時間を最適に制御することが可能となる。
［第３の実施の形態］
本発明の第３の実施の形態においても、図２と同様にネットワーク構成は有線ネットワークと無線ネットワーク間に中継装置を有した構成となっている。但し、本実施の形態では、有線ネットワークと無線ネットワーク間には、図１に示した構成の中継装置１００に代えて、図６に示す中継装置１００Ｂが接続される。
【００６０】
図６は本発明の第３の実施の形態の中継装置のブロック図を示している。図１と同一部分には同一符号を付して説明する。
【００６１】
図６に示す中継装置１００Ｂで、図１の中継装置１００と異なる点は、受信データ判定部１０８と制御手段１０９間に、制御内容判定部１１５（図３の制御内容判定部とは機能が異なる）及び制御コマンド記憶部１１６を設け、制御信号（リモコンコード）がデジタルインタフェースであるＩＥＥＥ１３９４Ｉ／Ｆ１０３上の制御プロトコルで規定された制御コマンド（ＡＶ／Ｃコマンドという）と同一内容のものであれば、リモコンコードとＡＶ／Ｃコマンドとの対応表からＡＶ／Ｃコマンドに変換して、ＩＥＥＥ１３９４Ｉ／Ｆ１０３にその変換したＡＶ／Ｃコマンドを供給することによって、有線経路であるために伝送確実性の高いＩＥＥＥ１３９４Ｉ／Ｆ１０３及び１３９４ケーブル２０２を通して、被制御機器２００に制御内容を確実に伝達する構成としたものである。制御信号（リモコンコード）にＡＶ／Ｃコマンドと同一内容のものがあれば、制御手段１０９に対しては制御信号が供給されず、制御信号（リモコンコード）にＡＶ／Ｃコマンドと同一内容のものがなければ、図１の場合と同様に制御信号が制御手段１０９を経てＩＲブラスタ１１０に供給される。（この図６の第３の実施の形態の構成と、図１及び図３の第１，第２の実施の形態の構成とを対比してみると、図１及び図３の構成では、制御信号（リモコンコード）をＩＲブラスタ等で赤外線信号に変換して被制御機器２００に中継しているため、遮蔽物等によって赤外線が遮られる可能性があり伝送の確実性が、図６の構成に比べて低い。）その他の構成は図１と同様である。
【００６２】
以下、図６及び図２を参照しながら、１）〜１０）の処理ステップごとに説明を行う。
【００６３】
１）
被制御機器（ＤＶＨＳ）２００の映像・音声出力は、アナログ信号としてアナログケーブル２０１で中継装置１００Ｂに入力されている。また、同時にＩＥＥＥ１３９４ケーブル２０２でもデジタル信号として中継装置１００Ｂに入力されている。
【００６４】
制御側機器（ＴＶ）３００で被制御機器（ＤＶＨＳ）２００の映像を視聴するために、中継装置１００Ｂは被制御機器（ＤＶＨＳ）２００の出力信号（アナログ，デジタル）のうち、通常は高品位のデジタル入力であるＩＥＥＥ１３９４入力を選択し、入力信号切換部１０４は、ＩＥＥＥ１３９４入力側からの信号を選択している。この入力信号は、無線データ送信部１０６経由で制御側機器（ＴＶ）３００に配信され、制御側機器（ＴＶ）３００側では無線経由で、高品位のデジタル映像を視聴することができる。
【００６５】
２）
この状態で、制御側機器（ＴＶ）３００の前のユーザが、被制御機器（ＤＶＨＳ）２００の再生を停止するために、被制御機器（ＤＶＨＳ）２００用のリモコン２０３を使用して停止制御を行う場合を考える。停止ボタンを押すことによって発生したリモコンコードは無線経由で、中継装置１００Ｂの無線データ受信部１０７で受信される。受信されたデータは受信データ判定部１０８で、制御信号かどうか判定される。制御信号でない場合は特別何も行わない。
【００６６】
３）
２）の処理で、受信データが制御信号であると判定した場合、受信データ判定部１０８は、入力信号切換部１０４に対し、アナログ入力信号への切り換え指示を行うと同時に、制御内容判定部１１５に対し、制御内容判定指示を行う。
【００６７】
４）
入力信号切換部１０４は、現在の入力信号がデジタル入力（Ｉ３９４入力）であることを、入力信号記憶部１０５に記憶する。その後、受信データ判定部１０８からの指示通り、アナログ入力信号への切り換え処理を行う。これにより、無線データ送信部１０６経由で、被制御機器（ＤＶＨＳ）２００のアナログ出力信号が制御側機器（ＴＶ）３００に配信されるようになる。
【００６８】
５）
受信データ判定部１０８は、３）で入力信号切換部１０４の切り換え指示を行うと同時に、経過時間計測部１１１に対し、入力信号切り換え後の経過時間を計測する指示を行う。この指示により、経過時間計測部１１１は時間の計測を開始する。
【００６９】
６）
経過時間計測部１１１は、ある一定時間（例えば３０秒）を経過したかどうかを計測し、３０秒経過後、入力信号切換部１０４に対し、現在の入力信号に切り換えを行う前に選択されていた入力信号に再切り換えを行わせる指示を行う。また、この計測する一定時間の値は、ユーザが入力装置を用いて、指示入力手段１１２経由で任意の値に設定することが可能である。６０秒に設定された場合は、再切り換えは６０秒後に行われるし、０秒に設定された場合は、制御信号を受信したことによる自動入力切り換えを行わないなどの対応にすることが可能である。
【００７０】
７）
６）で経過時間計測部１１１より、以前の入力信号への再切り換え指示を受けると、入力信号切換部１０４は、入力信号記憶部１０５で記憶していた以前の入力信号に関する情報を取得する。この実施の形態では、４）の処理で切り換え前は、デジタル入力（ＩＥＥＥ１３９４入力）であったと記憶されているため、入力信号切換部１０４は、入力をデジタル入力に戻す。ここまでの処理で、制御信号を受信したことによるアナログ入力ヘの入力切り換え後、３０秒後に元のデジタル入力に自動的に戻る処理が実現可能である。
【００７１】
８）
３）で受信データ判定部１０８より、制御内容判定指示を受けると、制御内容判定部１１５は、送信されてきた制御信号（リモコンコード）の内容と、制御コマンド記憶部１１６で記憶されている、自らが持つデジタルインタフェース上の制御プロトコルで規定された制御コマンド一覧を比較して、同じ制御内容のものがあるかどうかを判定する。図７に制御コマンド記憶部１１６で記憶されている情報の例を示す。
【００７２】
図７は、リモコンコードの内容と、中継装置１００Ｂが持つＩＥＥＥ１３９４Ｉ／Ｆ上で規定された制御プロトコルであるＡＶ／Ｃコマンドとの比較データベースとなっている。例えば、本実施の形態で送信されてきた、停止に相当するリモコンコードと同じ内容のものは、ＡＶ／ＣコマンドのＷＩＮＤ（ＳＴＯＰ）コマンドであることが分かる。送られてきたリモコンコードがこのデータベースに載っていない場合は、同じ制御内容のＡＶ／Ｃコマンドが存在しないことを意味する。
【００７３】
９）
８）の処理で、送信されてきた制御信号と同じ制御内容のコマンドが存在しないと判定された場合、制御信号はそのまま制御手段１０９に伝えられる。制御手段１０９は伝えられた制御信号（リモコンコード）を使用して、ＩＲブラスタ１１０などを用いて、被制御機器（ＤＶＨＳ）２００にリモコンコードを転送する。被制御機器（ＤＶＨＳ）２００はＩＲブラスタ１１０から停止を示すリモコンコードを受信し、停止状態へ遷移する。被制御機器（ＤＶＨＳ）２００は、自身の動作状態に変化があったことをユーザに通知するために、一定時間ＴＶ画面上に「停止」表示を行う。この表示データは、被制御機器（ＤＶＨＳ）２００自身がＯＳＤ機能によりアナログ信号用に作成したものであるため、被制御機器（ＤＶＨＳ）２００のアナログ出力にはオーバーレイされるが、デジタル出力にはオーバーレイされない。よって、デジタル入力に常時切り換えている場合は、制御側機器（ＴＶ）３００の前のユーザはこの「停止」表示を見ることができず、リモコン２０３による制御が成功したかどうかが分かりにくいが、４）の処理で自動的にアナログ入力ヘ切り換えが行われているため、被制御機器（ＤＶＨＳ）２００自身が作成した表示をリモコン操作後に必ず見ることが可能となる。
【００７４】
１０）
８）の処理で、送信されてきた制御信号と同じ制御内容のコマンドが存在すると判定された場合、制御内容判定部１１５は、制御コマンド記憶部１１６で記憶されているデータベースを利用して、制御信号を同じ制御内容を持つＡＶ／Ｃコマンドに変換を行い、ＩＥＥＥ１３９４Ｉ／Ｆ１０３経由で被制御機器（ＤＶＨＳ）２００に対し、ＡＶ／Ｃコマンドを伝送する。本実施の形態では、停止を示すリモコンコードがＡＶ／ＣコマンドのＷＩＮＤ（ＳＴＯＰ）コマンドに変換されて、ＩＥＥＥ１３９４Ｉ／Ｆ１０３経由で被制御機器（ＤＶＨＳ）２００に伝送される。被制御機器（ＤＶＨＳ）２００はＩＥＥＥ１３９４経由で、停止を示すＡＶ／Ｃ  ＷＩＮＤ（ＳＴＯＰ）コマンドを受信し、停止状態へ遷移する。  被制御機器（ＤＶＨＳ）２００は、自身の動作状態に変化があったことをユーザに通知するために、一定時間ＴＶ画面上に「停止」表示を行う。この表示データは、被制御機器（ＤＶＨＳ）２００自身がＯＳＤ機能によりアナログ信号用に作成したものであるため、被制御機器（ＤＶＨＳ）２００のアナログ出力にはオーバーレイされるが、デジタル出力にはオーバーレイされない。よって、デジタル入力に常時切り換えている場合は、制御側機器（ＴＶ）３００の前のユーザはこの「停止」表示を見ることができず、リモコン２０３による制御が成功したかどうかが分かりにくいが、４）の処理で自動的にアナログ入力へ切り換えが行われているため、被制御機器（ＤＶＨＳ）２００自身が作成した表示をリモコン２０３操作後に必ず見ることが可能となる。
【００７５】
更に、前記制御信号と同じ内容の制御コマンドが存在する場合に、前記制御信号をデジタルインタフェース上の同等の制御コマンドに変換して発行したとき、その制御コマンドに基づいて制御された被制御機器の制御結果を制御側機器にレスポンスとして発行することが望ましい。
【００７６】
一般的に、リモコンコードなどの制御コードをそのまま利用して制御を行った場合、制御結果が成功かどうかを判別するのは困難である。それに対し、デジタルインタフェース上で規定された制御プロトコルでは、制御を行うコマンド（例えばＩＥＥＥ１３９４におけるＡＶ／Ｃコマンドなど）と、その制御結果を制御元に示すレスポンスが規定されているため、失敗した場合は制御側機器からコマンドを再送するなど、確実な制御が行える利点を有する。
【００７７】
以上の第３の実施の形態の処理により、制御側機器（ＴＶ）の処理を一切変更・追加することなく、制御側機器から送られたリモコンコードがより確実なＡＶ／Ｃコマンドに変換されて、被制御機器（ＤＶＨＳ）の制御を行うことができるだけでなく、結果などの各種表示を、制御側の表示機器（ＴＶ）に表示することが可能になる。
【００７８】
なお、上述した、本発明の実施の形態では、独立した中継装置の例で説明したが、ＡＶ機器で構成される被制御機器の中に本中継機能を組み込むようにしてもよいことは明らかである。さらに、デジタルインタフェースとして、ＩＥＥＥ１３９４規格を例にして説明したが、他のデジタルインタフェースに適用してもよいことは明らかである。
【００７９】
【発明の効果】
以上述べたように本発明によれば、制御側機器の処理を一切変更することなく、被制御機器の制御結果などの各種表示を、制御側の表示機器に表示することが可能となる。
【図面の簡単な説明】
【図１】本発明の第１の実施の形態の中継装置の構成を示すブロック図。
【図２】本発明の第１の実施の形態の、ネットワーク構成を説明するための図。
【図３】本発明の第２の実施の形態の中継装置の構成を示すブロック図。
【図４】本発明の第２の実施の形態の、リモコンによるユーザ操作を説明するための図。
【図５】本発明の第２の実施の形態の、再切り換え時間記憶部で記憶される情報の例を説明するための図。
【図６】本発明の第３の実施の形態の中継装置の構成を示すブロック図。
【図７】本発明の第３の実施の形態の、制御コマンド記憶部で記憶される情報の例を説明するための図。
【符号の説明】
１００，１００Ａ，１００Ｂ…中継装置、１０１…アナログ映像入力端子、アナログ音声入力端子、１０４…入力信号切換部（切換手段）、１０６…無線データ送信部（送信手段）、１０７…無線データ受信部（受信手段）、１０８…受信データ判定部、１０９…制御手段、１１０…ＩＲブラスタ、１１１…経過時間計測部、１１２…指示入力手段、２０１…アナログケーブル、２０２…ＩＥＥＥ１３９４ケーブル、２００…被制御機器、３００…制御側機器。
【図１】
2005020624.tif 000003
【図２】
2005020624.tif 000004
【図３】
2005020624.tif 000005
【図４】
2005020624.tif 000006
【図５】
2005020624.tif 000007
【図６】
2005020624.tif 000008
【図７】
2005020624.tif 000009